(57)【要約】【課題】昇降コードを巻取軸に螺旋状に巻き取る構成としたスラット昇降装置において、障害物を正確に検知し得る電動ブラインドの障害物検知停止装置を提供する。【解決手段】ヘッドボックス内に回転可能に支持された巻取軸１をモータで回転駆動可能とし、巻取軸１に昇降コード４を螺旋状に巻取り、あるいは巻戻してスラットを昇降し、巻取軸１の下方には昇降コード４の弛みを検出してモータの作動を停止させる障害物検知手段を備えた電動ブラインドの障害物検知停止装置において、障害物検知手段は、ヘッドボックスに回動可能に支持される回動レバー８の先端部に昇降コード４を挿通し、該昇降コード４の弛みにより回動レバー８を回動させてモータの作動を停止可能とする構成とし、昇降コード４の緊張時に該昇降コードから回動レバー８に作用する引っ張り力で該回動レバー８を障害物の非検知位置に回動させる。【選択図】図３
2007177584.tif 000002
【特許請求の範囲】
【請求項１】
ヘッドボックスに回転可能に支持された巻取軸をモータで回転駆動可能とし、前記巻取軸は基端側から先端側に向かって徐々に細くなるように形成し、前記巻取軸に昇降コードを螺旋状に巻取り、あるいは巻戻して日射遮蔽材を昇降し、前記巻取軸の下方には前記昇降コードの弛みを検出して前記モータの作動を停止させる障害物検知手段を備えた電動ブラインドの障害物検知停止装置において、
前記障害物検知手段は、前記ヘッドボックスに回動可能に支持される回動レバーの先端部に前記昇降コードを挿通し、該昇降コードの弛みにより回動レバーを回動させて障害物を検知可能とし、前記昇降コードの緊張時に該昇降コードから回動レバーに作用する引っ張り力で該回動レバーを前記障害物の非検知位置に回動可能としたことを特徴とする電動ブラインドの障害物検知停止装置。
【請求項２】
前記回動レバーを、前記昇降コードの緊張時の引っ張り力に沿う方向に回動可能としたことを特徴とする請求項１記載の電動ブラインドの障害物検知停止装置。
【請求項３】
前記回動レバーの基端部をマイクロスイッチのばね片に当接させ、該ばね片の付勢力で前記昇降コードの弛みを検知可能とすることを特徴とする請求項１又は２記載の電動ブラインドの障害物検知停止装置。
【請求項４】
前記回動レバーの中間部を支軸で水平方向に回動可能に支持し、前記昇降コードの引っ張り力に基づく回転力により、前記回動レバーの基端部で前記ばね片を押圧可能としたことを特徴とする請求項３記載の電動ブラインドの障害物検知停止装置。
【発明の詳細な説明】
【技術分野】
【０００１】
この発明は、電動ブラインドのスラット下降動作時に障害物を検知して、下降動作を自動的に停止させる障害物検知停止装置に関するものである。
【背景技術】
【０００２】
電動ブラインドは、モータの駆動力でスラット駆動軸を回転させ、昇降コードあるいは昇降テープを巻取り装置で巻取り、あるいは巻き戻すことにより、スラットを昇降可能となっている。
【０００３】
また、スラットの下降操作時にボトムレールが障害物に当接して下降不能となったとき、モータの作動を停止させて、昇降コードあるいは昇降テープの無用な巻き戻しを自動的に停止させる障害物検知停止装置を備えたものもある。
【０００４】
障害物検知停止装置は、ボトムレールが障害物に当接して昇降コードあるいは昇降テープに弛みが生じたとき、その弛みによりヘッドボックス内でスライドする検出子が設けられ、その検出子の動作によりマイクロスイッチを作動させてモータを停止させるようになっている。
【０００５】
特許文献１には、スラットが上限まで引き上げられたとき、モータのスラット引き上げ方向の作動を停止させる上限停止装置が開示されている。
特許文献２には、昇降テープの緩みを検出して障害物検知を行う装置が開示されている。
【特許文献１】特許第２５７７１４３号公報
【特許文献２】特開昭５５−８５７９１号公報
【発明の開示】
【発明が解決しようとする課題】
【０００６】
近年、昇降コードを巻取軸に巻き取ってスラットを昇降する巻取り装置が実用化されている。その巻取軸は軸方向の一方に向かって径が徐々に細くなるように形成され、昇降コードは巻取軸に順次螺旋状に巻かれていく。
【０００７】
このようなスラット昇降装置を備えた電動ブラインドにおいて、昇降コードの弛みを検出する検出子をヘッドボックス内で巻取軸の下方に配置すると、巻取軸から斜め下方に延びる昇降コードの張力が作用する方向と、その昇降コードが掛装される検出子のスライド方向とが一致しない。
【０００８】
すると、昇降コードの張力が検出子のスライド動作に対して摩擦力を発生させてしまい、結果として昇降コードが緊張された状態でも検出子が確実に移動せず、モータの作動が停止される等の不具合が発生することがある。
【０００９】
特許文献１，２には、昇降コードを巻取軸に螺旋状に巻き取る構成としたスラット昇降装置についての障害物検知停止装置は開示されていない。
この発明の目的は、昇降コードを巻取軸に螺旋状に巻き取る構成としたスラット昇降装置において、障害物を正確に検知し得る電動ブラインドの障害物検知停止装置を提供することにある。
【課題を解決するための手段】
【００１０】
請求項１では、ヘッドボックスに回転可能に支持された巻取軸をモータで回転駆動可能とし、前記巻取軸は基端側から先端側に向かって徐々に細くなるように形成し、前記巻取軸に昇降コードを螺旋状に巻取り、あるいは巻戻して日射遮蔽材を昇降し、前記巻取軸の下方には前記昇降コードの弛みを検出して前記モータの作動を停止させる障害物検知手段を備えた電動ブラインドの障害物検知停止装置において、前記障害物検知手段は、前記ヘッドボックスに回動可能に支持される回動レバーの先端部に前記昇降コードを挿通し、該昇降コードの弛みにより回動レバーを回動させて前記モータの作動を停止可能とする構成とし、前記昇降コードの緊張時に該昇降コードから回動レバーに作用する引っ張り力で該回動レバーを前記障害物の非検知位置に回動させる。
【００１１】
請求項２では、前記回動レバーを、前記昇降コードの緊張時の引っ張り力に沿う方向に回動可能とした。
請求項３では、前記回動レバーの基端部をマイクロスイッチのばね片に当接させ、該ばね片の付勢力で前記昇降コードの弛みを検知可能とする。
【００１２】
請求項４では、前記回動レバーの中間部を支軸で水平方向に回動可能に支持し、前記昇降コードの引っ張り力に基づく回転力により、前記回動レバーの基端部で前記ばね片を押圧可能とした。
【発明の効果】
【００１３】
本発明によれば、昇降コードを巻取軸に螺旋状に巻き取る構成としたスラット昇降装置において、障害物を正確に検知し得る電動ブラインドの障害物検知停止装置を提供することができる。
【発明を実施するための最良の形態】
【００１４】
以下、この発明を具体化した障害物検知停止装置の一実施の形態を図面に従って説明する。
図１は、電動ブラインドのスラット昇降装置を示す。ヘッドボックス１２内には昇降コードの巻取軸１が支持部材２に回転可能に支持され、その巻取軸１に駆動軸３が嵌挿されている。前記駆動軸３は、操作スイッチの操作に基づいて動作するモータ（図示しない）により回転駆動され、巻取軸１は駆動軸３と一体に回転される。
【００１５】
前記巻取軸１には昇降コード４が螺旋状に巻かれ、その昇降コード４の一端は巻取軸１の基端に取着され、図４に示すように、昇降コード４他端側は巻取軸１の先端側から前記支持部材２に設けられた案内孔５を経て下方へ垂下されている。そして、図２に示すように、昇降コード４はスラット（日射遮蔽材）６を貫通し、その下端がボトムレール（図示しない）に取着されている。
【００１６】
前記巻取軸１は、先端側から基端側に向かって徐々に径が小さくなるように形成される。そして、巻取軸１に巻き取られた昇降コード４は巻取軸１の基端側に向かって順次移動するようになっている。
【００１７】
前記昇降コード４の近傍にはラダーコード（図示しない）が吊下支持され、そのラダーコードの上端部は前記巻取軸１の先端部に支持されるラダーコード吊下部材７に支持され、そのラダーコードに前記スラット６が支持される。
【００１８】
そして、巻取軸１の回転にともなってラダーコード吊下部材７が回転され、その回転にともなってラダーコードを介して各スラット６が同位相で角度調節される。なお、各スラット６が垂直方向まで回転された後は、ラダーコード吊下部材７が巻取軸１に対し空回りして、各スラット６のそれ以上の回動が阻止される。
【００１９】
一方、巻取軸１が昇降コード巻取り方向に回転されると、昇降コード４が巻取軸１に巻き取られてボトムレールが引き上げられ、そのボトムレールにより下段のスラット６から順次引き上げられる。また、巻取軸１が昇降コード巻き戻し方向に回転されると、昇降コード４が巻取軸１から巻き戻されてボトムレールが下降し、上段のスラット６から順次ラダーコードに支持される状態に復帰する。
【００２０】
前記支持部材２には障害物検知停止装置が設けられる。その障害物検知停止装置は、回動レバー８とマイクロスイッチ９とで構成される。回動レバー８は、図３及び図４に示すように、前記巻取軸１の先端部の下方において、その中間部が支軸１０で支持部材２に水平方向に回転可能に支持されている。
【００２１】
回動レバー８の先端部には挿通孔１１が形成され、その挿通孔１１は前記支持部材２の案内孔５の上方に位置している。そして、前記昇降コード４は巻取軸１から挿通孔１１及び案内孔５を経てヘッドボックス１２の下方に垂下されている。
【００２２】
前記回動レバー８の基端側の一側において、前記支持部材２には前記マイクロスイッチ９が取着されている。そして、回動レバー８の基端部にはマイクロスイッチ９側に向かって突出する押圧部１３が形成され、その押圧部１３がマイクロスイッチ９のばね片１４に当接している。
【００２３】
前記挿通孔１１に挿通される昇降コード４は、図３及び図４に示すように、回動レバー８の支軸１０を中心としてマイクロスイッチ９に相対向する方向から案内される。そして、昇降コード４が緊張されている状態では、回動レバー８に図３に示す矢印Ａ方向の回転力が作用し、その回転力により押圧部１３がばね片１４を押圧するようになっている。そして、ばね片１４が押圧されている状態では、操作スイッチの操作によりモータが作動可能となっている。
【００２４】
また、図５に示すよう、昇降コード４が弛むと、ばね片１４の付勢力により回動レバー８が矢印Ｂ方向に回動される。この状態では、ばね片１４の押圧が解除されて、操作スイッチの操作に関わらずモータの作動が停止されるようになっている。
【００２５】
次に、上記のように構成された電動ブラインドの動作を説明する。モータの作動により、巻取軸１が昇降コード４の巻取り方向に回転されると、昇降コード４が順次巻取軸１に螺旋状に巻き取られてボトムレールが引き上げられ、そのボトムレールにより下段のスラット６から順次引き上げられる。
【００２６】
また、巻取軸１が昇降コード４の巻戻し方向に回転されると、昇降コード４が巻き戻されてボトムレールが下降し、上段のスラット６から順次ラダーコードに支持される状態に復帰する。
【００２７】
このとき、ボトムレールが何らかの障害物に当接して下降不能となると、昇降コード４が弛んだ状態となるため、図５に示すように、回動レバー８がばね片１４の付勢力により回動される。従って、ばね片１４の押圧状態が解除されて、モータの作動が停止される。
【００２８】
上記のように構成された電動ブラインドの障害物検知停止装置では、次に示す作用効果を得ることができる。
（１）スラット６の下降操作時に、ボトムレールが障害物に当接したとき、モータの作動を自動的に停止させることができる。
（２）昇降コード４が緊張されているとき、その緊張力により回動レバー８に作用する引張り力が回動レバー８の回動方向に沿う方向に作用するため、回動レバー８を障害物の非検知位置まで確実に回動させることができる。
（３）昇降コード４が緊張されているとき、すなわちボトムレールが障害物に当接していないとき、回動レバー８の押圧部１３によりマイクロスイッチ９のばね片１４を確実に押圧することができる。従って、昇降コード４の緊張時にモータの作動が停止されるような誤動作を防止することができる。
（４）ボトムレールが障害物に当接して昇降コード４が弛むと、回動レバー８の回動により回動レバー８の挿通孔１１と支持部材２の案内孔５との位置がずれた状態となり、昇降コード４が回動レバー８と支持部材２との間に挟まれた状態となる。この状態では、回動レバー８より下方の昇降コード４の弛みが、巻取軸１に巻き取られている昇降コード４に伝わらない状態となる。従って、巻取軸１に巻き取られている昇降コード４の無用な弛みを防止することができる。
【００２９】
上記実施の形態は、以下の態様で実施してもよい。
・回動レバー８の基端部でマイクロスイッチ９のばね片１４以外の検出子を押圧する構成としてもよい。
・横型ブラインド以外のたくし上げカーテンあるいはプリーツカーテン等に使用することもできる。
【図面の簡単な説明】
【００３０】
【図１】一実施の形態のスラット昇降装置を示す断面図である。
【図２】一実施の形態のスラット昇降装置を示す側面図である。
【図３】障害物検知停止装置を示す平面図である。
【図４】障害物検知停止装置を示す断面図である。
【図５】障害物検知停止装置の動作を示す平面図である。
【符号の説明】
【００３１】
１…巻取軸、４…昇降コード、６…スラット、８…回動レバー、９…マイクロスイッチ、１０…支軸、１２…ヘッドボックス。
【図１】
2007177584.tif 000003
【図２】
2007177584.tif 000004
【図３】
2007177584.tif 000005
【図４】
2007177584.tif 000006
【図５】
2007177584.tif 000007